(57)【特許請求の範囲】
【請求項１】
パレットの滑り止めテープ溶着面と滑り止めテープの裏面とに熱風を吹き付けて、パレットの滑り止めテープ溶着面と滑り止めテープの裏面とを溶融するとともに、滑り止めテープを、押圧ローラによりパレットに押し付けることにより、パレットに滑り止めテープを溶着するようにした合成樹脂製パレットへの滑り止めテープ溶着装置において、中央部と該中央部に対して略垂直方向に延設された側壁とを有する樋状のガイド部材が、押圧ローラに接近して配設されており、且つ、樋状のガイド部材の中央部の下端中央部には、パレットと押圧ローラとによる滑り止めテープの挟持部方向に延びる条片が延設されているとともに、樋状のガイド部材の中央部の下端中央部に延設された条片の幅を、滑り止めテープの幅より狭く形成することにより、滑り止めテープが、樋状のガイド部材の中央部の下端中央部に延設された条片の側縁からはみ出すように構成されていることを特徴とする合成樹脂製パレットへの滑り止めテープ溶着装置。
【発明の詳細な説明】
【０００１】
【発明の属する技術分野】
本発明は、合成樹脂製パレット（以下、単に、「パレット」ともいう。）の表面に、載置された物品の滑りを防止する滑り止めテープを溶着するための合成樹脂製パレットへの滑り止めテープ溶着装置に関するものである。
【０００２】
【従来の技術】
従来、パレットの表面の滑り止めテープ溶着面と滑り止めテープの裏面とに熱風を吹き付けて、パレットの表面の滑り止めテープ溶着面と滑り止めテープの裏面とを溶融するとともに、滑り止めテープを、押圧ローラによりパレットの表面に押し付けることにより、パレットの表面に滑り止めテープを溶着するようにした合成樹脂製パレットへの滑り止めテープ溶着装置が知られている。そして、滑り止めテープは、押圧ローラ付近に配設されたパイプ状或いは板状のガイド部材に案内されながら、パレットの滑り止めテープ溶着面に押圧ローラにより押し付けられながら溶着される（例えば、特公昭６１−２９８６２号公報、特公昭６３−２５９３７号公報等）。
【０００３】
【発明が解決しようとする課題】
以下に、上述した従来の合成樹脂製パレットへの滑り止めテープ溶着装置の要部正面図である図３を用いて、本発明が解決しようとする課題について説明する。
【０００４】
１は、図示されていない適当なフレームに回転自在に配設された押圧ローラであり、２は、押圧ローラ１付近に配設された、一例としての樋状のガイド部材である。３は、パレットＰの滑り止めテープ溶着面と滑り止めテープＴの裏面ｔ１とに熱風を吹き付けて、パレットＰの滑り止めテープ溶着面と滑り止めテープＴの裏面ｔ１とを溶融する熱風噴射機である。図３には、パレットＰに形成された凹溝ｐ１内に、滑り止めテープＴの上部が、パレットＰの表面から、若干突出するように溶着される例が示されている。従って、パレットＰの滑り止めテープ溶着面は、凹溝ｐ１の底部ｐ２となる。４は、ベルトコンベヤー等のパレットＰを搬送するためのパレット搬送装置である。なお、図３には、パレットＰが左から右方向に搬送される例が示されている。
【０００５】
滑り止めテープＴは、ガイド部材２に案内されながら、パレット搬送装置４により搬送されているパレットＰの滑り止めテープ溶着面（上述したように、この例においては、凹溝ｐ１の底部ｐ２）と押圧ローラ１とによる滑り止めテープＴの挟持部Ｃ方向に移送される。そして、ガイド部材２から出た滑り止めテープＴの裏面ｔ１とパレットＰの滑り止めテープ溶着面とに、熱風噴射機３により熱風を吹き付けて、パレットＰの滑り止めテープ溶着面と滑り止めテープＴの裏面ｔ１とを溶融するとともに、滑り止めテープＴを、押圧ローラ１によりパレットＰに押し付けることにより、パレット搬送装置４により搬送されているパレットＰに滑り止めテープＴを溶着する。
【０００６】
ところで、パレットＰへの滑り止めテープＴの溶着作業の最終段階においては、滑り止めテープＴの最終端ｔ２が、ガイド部材２の下端部２ａから離れることになるが、滑り止めテープＴの最終端ｔ２が、急速に、ガイド部材２の下端部２ａから外れて、パレットＰの滑り止めテープ溶着面に当接するために、滑り止めテープＴの最終端ｔ２付近が、熱風噴射機３からの熱風により、十分溶融されず、従って、パレットＰに溶着された滑り止めテープＴの最終端ｔ２付近が、溶着不良のために、パレットＰから剥離するという問題がある。また、このような問題を解決するために、滑り止めテープＴの最終端ｔ２を延長して、十分溶融されない部分が、パレットＰからはみ出すようにした工夫もなされているが、その後の工程で、パレットＰからはみ出した滑り止めテープＴを切断しなければならず、パレットＰへの滑り止めテープＴの溶着作業効率が低下するとともに、滑り止めテープＴの無駄になる。
【０００７】
本発明の目的は、上述した従来の合成樹脂製パレットへの滑り止めテープ溶着装置が有する課題を解決するとともに、作業効率の向上した合成樹脂製パレットへの滑り止めテープ溶着装置を提供することにある。
【０００８】
【課題を解決するための手段】
本発明は、上述した目的を達成するために、パレットの滑り止めテープ溶着面と滑り止めテープの裏面とに熱風を吹き付けて、パレットの滑り止めテープ溶着面と滑り止めテープの裏面とを溶融するとともに、滑り止めテープを、押圧ローラによりパレットに押し付けることにより、パレットに滑り止めテープを溶着するようにした合成樹脂製パレットへの滑り止めテープ溶着装置において、中央部と該中央部に対して略垂直方向に延設された側壁とを有する樋状のガイド部材が、押圧ローラに接近して配設されており、且つ、樋状のガイド部材の中央部の下端中央部には、パレットと押圧ローラとによる滑り止めテープの挟持部方向に延びる条片が延設されているとともに、樋状のガイド部材の中央部の下端中央部に延設された条片の幅を、滑り止めテープの幅より狭く形成することにより、滑り止めテープが、樋状のガイド部材の中央部の下端中央部に延設された条片の側縁からはみ出すように構成したものである。
【０００９】
【実施例】
以下に、本発明の実施例について説明するが、本発明の趣旨を越えない限り何ら、本実施例に限定されるものではない。なお、上述した従来の合成樹脂製パレットへの滑り止めテープ溶着装置と同じ部材については、同一の符号が使用されている。
【００１０】
１は、滑り止めテープ溶着装置の適当なフレームに回転自在に配設された押圧ローラであり、２０は、後述する押圧ローラ１に接近して配設された樋状のガイド部材である。３は、パレットＰの滑り止めテープ溶着面と滑り止めテープＴの裏面ｔ１とに熱風を吹き付けて、パレットＰの滑り止めテープ溶着面と滑り止めテープＴの裏面ｔ１とを溶融する熱風噴射機である。本実施例においては、パレットＰには、滑り止めテープＴが挿入可能な幅を有する凹溝ｐ１が形成されており、凹溝ｐ１は、凹溝ｐ１の底部ｐ２に溶着された滑り止めテープＴの上部が、パレットＰの表面から、若干突出するような深さに形成されている。
【００１１】
ガイド部材２０は、押圧ローラ１の周面と同じ方向に湾曲した中央部２０ａと、該中央部２０ａの垂直縁から、中央部２０ａに対して略直角方向に延設された側壁２０ｂとにより樋状に形成されている。また、ガイド部材２０の中央部２０ａの下端中央部からは、パレットＰの凹溝ｐ１の底部ｐ２と押圧ローラ１とによる滑り止めテープＴの挟持部Ｃ方向に延びる条片２０ｃが形成されている。条片２０ｃの幅ｄ１は、滑り止めテープＴの幅ｄ２より狭く形成されており、条片２０ｃの幅を越えて、条片２０ｃの側縁２０ｄから、滑り止めテープＴがはみ出すように構成されているとともに、条片２０ｃの先端部２０ｅは、可能な限り、パレットＰの凹溝ｐ１の底部ｐ２と押圧ローラ１とによる滑り止めテープＴの挟持部Ｃに接近するように構成されている。なお、ガイド部材２０を構成する中央部２０ａ、側壁２０ｂ及び条片２０ｃは、板材により一体に形成することが好ましい。
【００１２】
本発明は、上述したように構成されているので、滑り止めテープＴの最終端ｔ２の近傍まで、滑り止めテープＴが条片２０ｃに沿って案内されるとともに、条片２０ｃの側縁２０ｄからは、滑り止めテープＴがはみ出ているので、滑り止めテープＴのはみ出た部分が、熱風噴射機３から噴出される熱風により溶融されるので、滑り止めテープＴの最終端ｔ２付近も確実に、パレットＰの凹溝ｐ１の底部ｐ２に溶着されることになる。従って、従来の合成樹脂製パレットへの滑り止めテープ溶着装置により溶着された滑り止めテープＴのように、滑り止めテープＴの端部からの剥離が発生するようなこともなく、また、滑り止めテープＴの最終端ｔ２を延長する必要もないので、後工程でのパレットＰからはみ出した滑り止めテープＴの切断作業が省略でき、パレットＰへの滑り止めテープＴの溶着作業効率が向上する。
【００１３】
上述した実施例においては、パレットＰに凹溝ｐ１を形成し、該凹溝ｐ１内に滑り止めテープＴを溶着した例を用いて、本発明の実施例を説明したが、パレットＰにこのような凹溝ｐ１を形成することなく、パレットＰの表面に滑り止めテープＴを溶着する合成樹脂製パレットへの滑り止めテープ溶着装置にも、上述した構成を有するガイド部材２０を適用することができる。なお、滑り止めテープＴのガイド部材２０への導入を容易にするために、ガイド部材２０の側壁２０ｂの上方の間隔を広くし、また、滑り止めテープＴの蛇行を抑制するために、ガイド部材２０の側壁２０ｂの下方の間隔を、滑り止めテープＴの幅より若干広い程度にすることが好ましい。
【００１４】
【発明の効果】
本発明は、以上説明した構成を有しているので、以下に記載する効果を奏するものである。
【００１５】
滑り止めテープの最終端の近傍まで、滑り止めテープが条片に沿って案内されるとともに、条片の側縁からは、滑り止めテープがはみ出ているので、滑り止めテープのはみ出た部分が、熱風噴射機から噴出される熱風により溶融されるので、滑り止めテープの最終端付近も確実に、パレットに溶着されることになる。従って、従来の合成樹脂製パレットへの滑り止めテープ溶着装置により溶着された滑り止めテープのように、滑り止めテープの端部からの剥離が発生するようなこともなく、また、滑り止めテープの最終端を延長する必要もないので、後工程でのパレットからはみ出した滑り止めテープの切断作業が省略でき、パレットへの滑り止めテープの溶着作業効率が向上する。
【図面の簡単な説明】
【図１】図１は本発明の合成樹脂製パレットへの滑り止めテープ溶着装置の要部正面図である。
【図２】図２は本発明の合成樹脂製パレットへの滑り止めテープ溶着装置の要部斜視図である。
【図３】図３は従来の合成樹脂製パレットへの滑り止めテープ溶着装置の要部正面図である。
【符号の説明】
Ｐ・・・・・・・・パレット
ｐ１・・・・・・・凹溝
Ｔ・・・・・・・・滑り止めテープ
１・・・・・・・・押圧ローラ
３・・・・・・・・熱風噴射機
２０・・・・・・・ガイド部材２０
２０ｃ・・・・・・条片
【図１】
0003763331.tif 000002
【図２】
0003763331.tif 000003
【図３】
0003763331.tif 000004